(57)【要約】【課題】  変圧器中身２１のケース２２内への収納が容易で、かつ、前記変圧器中身２１がケース２２内で揺動することを良好に抑制することのできる変圧器を提供する。【解決手段】  変圧器中身２１をケース２２内の対向する側面に固定する中身固定金具２７の前記ケース２２との２箇所の固定位置を互いに異なる高さ位置に設定した構成した。【選択図】        図１
2006339176.tif 000002
【特許請求の範囲】
【請求項１】
ケース内に収納される変圧器中身を構成する鉄心と巻線を締め付ける上部クランプに、前記ケース内の対向する側面に固定位置を有する中身固定金具を取り付け、かつ、前記固定位置は、互いに異なる高さ位置に設定して構成したことを特徴とする変圧器。
【請求項２】
前記中身固定金具は、前記上部クランプの長手方向と平行に配置され、該上部クランプ上に固定される薄板形状の基礎部と、該基礎部の両端部からこれと連続して垂直上向きに延出する互いに長さ寸法の異なる一対の支持部からなり、当該支持部には、前記ケース内の側面に取り付けた被螺合部材に螺合する螺合部材を通過させる貫通孔を形成して構成したことを特徴とする請求項１記載の変圧器。
【請求項３】
前記貫通孔は、前記螺合部材の頭部と前記被螺合部材との間で前記中身固定金具を挟持できる幅寸法を有した前記支持部の長手方向に延びる縦長形状に形成して構成したことを特徴とする請求項２記載の変圧器。
【請求項４】
前記中身固定金具は、前記上部クランプを変圧器中身に一体に組み付けるバンド部材が通過する一対の挿通孔を前記基礎部に形成して構成したことを特徴とする請求項１ないし３記載の変圧器。
【請求項５】
請求項５記載の変圧器において、前記鉄心の下部にこれを保護する絶縁部材を具備し、当該絶縁部材を前記バンド部材を利用して変圧器中身に一体に取り付けて構成したことを特徴とする変圧器。
【発明の詳細な説明】
【技術分野】
【０００１】
本発明は、ケース内に収納する変圧器中身の振れ止め構造の改良に関するものである。
【背景技術】
【０００２】
変圧器を輸送する際、変圧器中身が振動等によってケース内で揺動することにより、ケースの内壁と衝接して損傷等する問題があり、従来からこの問題を解決するために種々の対策が提案されている。以下にその一例を示す。
【０００３】
図３は変圧器本体の振れ止め機構を備えた変圧器の一例を示しており、図３において、１はケース、２はケース１内に収納された変圧器本体であり、ケース１の側壁上部の対称位置に吊り上げ金具８，８が取り付けられている。図４は前記吊り上げ金具８の取り付け構造を示す拡大断面図であり、各吊り上げ金具８は円柱状に形成されて、その一端には、小径部８ａが、他端に鍔部８ｂが具備されている。
【０００４】
前記小径部８ａは、ケース１の側壁上部を貫通させて設けられた取り付け孔１ａに嵌合された状態でケース１に溶接されており、ケース１内に開口するねじ孔８ｃが設けている。
【０００５】
また、前記変圧器本体２の鉄心の上部継鉄部を締め付ける上部継鉄締め付け金具４にはＬ字形の中身固定金具６の一辺がボルト５により固定されており、該中身固定金具６の他辺は前記吊り上げ金具８の一端に対向している。そして、前記中身固定金具６を貫通させたボルト７が吊り上げ金具８のねじ孔８ｃにねじ込まれ、このボルト７によって中身固定金具６が吊り上げ金具８に締結される。
【０００６】
そして、前記ケース１内には絶縁油が注入されるとともに、ケース１の上部は蓋板１０により閉鎖される。
【０００７】
以上のように構成された変圧器は、輸送時に生じる振動等によって変圧器本体２がケース１内で揺動するのを阻止することができ、この結果、変圧器本体２がケース１内壁に衝突して損傷等することを防止している（特許文献１参照）。
【特許文献１】実開平５−３８８３８号公報
【０００８】
また、前記変圧器本体１の揺動をより確実に防止するために、図５（ａ）に示す対策も提案されている。つまり、ケース底板１１の上面に下部クランプ１２の大きさに対応した間隔で振れ止め座１３を溶接することにより、下部クランプ１２が振れることを防止したり、また、図５（ｂ）に示すように、ケース底板１１に下部クランプ１４の凸部１５が嵌め込まれる凹部１６を形成することによって、前記凸部１５と凹部１６との嵌合作用によって前記下部クランプ１４が振れることを防止することも可能である。
【発明の開示】
【発明が解決しようとする課題】
【０００９】
然るに、図３に示す変圧器は、吊り上げ金具８，８がケース１内の対称位置（同一高さ位置）に取り付けられており、変圧器本体２はボルト５で固定された中身固定金具６を介して、前記吊り上げ金具８，８にボルト７によって固定される構造であるので、前記変圧器本体２が各々の吊り上げ金具８，８との固定位置を支点として、図３の紙面に対して垂直方向に揺動し易い構造であった。
【００１０】
この問題を解消するために、図５（ａ）に示すように、変圧器本体１の下部クランプ１２の大きさに対応した外側位置４方向に振れ止め座１３をケース１の底板１１に溶接することにより、変圧器本体２の振れ止めを実現することができるが、この場合、前記振れ止め座１３を下部クランプ１２を載置する適正な位置に予め溶接しておかなければならず、その位置決め作業に相当の手間と時間を要し、非常に面倒であるとともに、変圧器本体２を振れ止め座１３内に載置する際、変圧器本体２がケース１内に入るとケース１の上方から振れ止め座１３を視認することが難しくなり、この下部クランプ１２を前記振れ止め座１３内に載置する作業は、所謂、手探り状態となって作業効率を低下させる要因となっていた。
【００１１】
一方、図５（ｂ）に示す変圧器は、下部クランプ１４の凸部１５を嵌め込む凹部１６をケース底板１１に形成しなければならず、下部クランプ１４およびケース底板１１の加工が別途必要になるとともに、同図（ａ）の場合と同様に、変圧器本体２をケース１内に収納する際、変圧器本体２は蓋板１０に吊り下げられた状態で降下させることが多いが、このとき、変圧器本体２は非常に横揺れが生じ易い状態となり、前記下部クランプ１４の凸部１５をケース底板１１の凹部１６内に嵌め込むことは、前記蓋板１０の存在もあって、作業者にとって容易な作業ではなく、不便であった。
【００１２】
そこで、本発明は、変圧器本体２のケース１への収納に多大な手間と時間を費やすことなく、かつ、ケース１内で変圧器本体２が揺動してこれを損傷するといった問題の発生を確実に解消することのできる簡易な構成の変圧器を提供することを目的とする。
【課題を解決するための手段】
【００１３】
請求項１記載の発明は、ケース内に収納される変圧器中身を構成する鉄心と巻線を締め付ける上部クランプに、前記ケース内の対向する側面に固定位置を有する中身固定金具を取り付け、かつ、前記固定位置は、互いに異なる高さ位置に設定して構成した。
【００１４】
請求項２記載の発明は、請求項１記載の発明において、前記中身固定金具は、前記上部クランプの長手方向と平行に配置され、該上部クランプ上に固定される薄板形状の基礎部と、該基礎部の両端部からこれ連続して垂直上向きに延出する互いに長さ寸法の異なる一対の支持部からなり、当該支持部には、前記ケース内の側面に取り付けた被螺合部材を通過させる貫通孔を形成して構成した。
【００１５】
請求項３記載の発明は、請求項２記載の発明において、前記貫通孔は、前記螺合部材の頭部と前記被螺合部材との間で前記中身固定金具を挟持できる幅寸法を有して前記支持部の長手方向に延びる縦長形状に形成して構成した。
【００１６】
請求項４記載の発明は、請求項１ないし３記載の発明において、前記中身固定金具は、前記変圧器中身を構成する鉄心と巻線を締め付ける前記上部クランプを変圧器中身に一体に組み付けるバンド部材を通過させる一対の挿通孔を前記基礎部に形成して構成した。
【００１７】
請求項５記載の発明は、請求項５記載の発明において、前記鉄心の下部にこれを保護する絶縁部材を具備し、前記バンド部材を利用して当該絶縁部材を変圧器中身に一体に固定するように構成した。
【発明の効果】
【００１８】
請求項１記載の発明によれば、変圧器中身をケース内の対向する両側面に固定する中身固定金具の前記ケース内側面との固定位置を、互いに異なる高さ位置にすることによって、前記変圧器中身は、前記固定位置との間で形成される揺動半径を両固定位置相互間で異ならせることができるので、この結果、前記変圧器中身のケース内における揺動を効果的に抑制することができ、有効である。
【００１９】
請求項２記載の発明によれば、上部クランプに固定される薄板形状の基礎部と、該基礎部の両端部から垂直上向きに延びる一対の支持部を備え、該一対の支持部の長さを異ならせて中身固定金具を構成することにより、簡易な構成で変圧器中身の揺動を抑制できる中身固定金具を実現することができ、利便である。
【００２０】
請求項３記載の発明によれば、中身固定金具の支持部に螺合部材の頭部と被螺合部材との間で当該中身固定金具を挟持できる幅寸法の縦長形状に形成した貫通孔を設けることにより、前記変圧器中身の高さが例えば、仕様毎に異なる場合であっても、前記被螺合部材のケース内壁に対する固定位置を変更することなく、前記貫通孔に対する螺合部材の取り付け位置を相対的に変更することによって、容易に対応することが可能となり、便利である。
【００２１】
請求項４記載の発明によれば、中身固定金具の基礎部に一対の挿通孔を形成することによって、上部クランプを鉄心および巻線に組み付けるバンド部材の両端を当該一対の挿通孔を通過させて連結することにより、特段の新たな組み付け部材を用意することなく、中身固定金具を変圧器中身に一体に組み付けることができ、利便である。
【００２２】
請求項５記載の発明によれば、変圧器中身を構成する鉄心の下部に、これを保護する絶縁部材をバンド部材を利用して取り付けることができるので、鉄心の下部に変圧器本体が揺動することを防止するためのクランプを具備する必要はなく、構造の簡素化と、コストの低減を図ることができ、有益である。
【実施例】
【００２３】
以下、本発明の実施の形態を図１，２により説明する。図１は本発明の変圧器Ａの正面図であり、図２は前記変圧器Ａの上面図である。図１，２に示すように、変圧器Ａは、変圧器中身２１をケース２２内に収納して構成されており、前記変圧器中身２１は、巻線２３に組み付けた鉄心２４と、該鉄心２４の上，下継鉄部にバンド部材２５によって一体に締め付け固定した上部クランプ２６ａと、鉄心２４の保護材として該鉄心２４の下部に取り付けられる紙素材等からなるプレスボード２６ｂを備えている。
【００２４】
そして、前記上部クランプ２６ａには、ケース底板２２ａと平行な面（以下、上面という）に前記バンド部材２５が通過する貫通孔（図示せず）が形成されており、バンド部材２５が前記プレスボード２６ｂの外側面（鉄心２５とケース底板２２ａの間）から鉄心２４の外周に周設されて、前記上部クランプ２６ａの図示しない貫通孔を通過した状態で、当該バンド部材２５を締め付けることによって、前記プレスボード２６ｂと鉄心２５および上部クランプ２６ａを一体に固定することができる。
【００２５】
また、前記上部クランプ２６ａには、その上面に、略コ字形の中身固定金具２７の薄板形状をなす基礎部２７ａが溶接等によって固定されており、この基礎部２７ａには、前記バンド部材２５が通過する一対の挿通孔２８，２８が当該基礎部２７ａの長手方向に中央部を挟んで対称に形成されている。
【００２６】
つまり、プレスボード２６ｂと鉄心２４および上部クランプ２６ａの周囲に配設させた前記バンド部材２５の両開放端を前記基礎部２７ａに形成した一対の挿通孔２８，２８を通過させて、該基礎部２７ａの上面位置において、締結金具２９を利用して締め付けることにより、巻線２３と組み付けた鉄心２４とプレスボード２６ｂおよび上部クランプ２６ａ、さらには、中身固定金具２７を一体に固定できるのである。
【００２７】
以上のように構成された変圧器中身２１は、ケース２１の上部の開口部から、例えば、蓋体３０に変圧器中身２１を吊り下げた状態でケース２１内に降下させることにより、図１に示すようにケース２１内に収納される。
【００２８】
一方、前記ケース２１内には、その側壁の対向する面に被螺合部材であるナット３１ａ，３１ｂが互いに異なる高さ位置で溶接等により固定されており、また、前記中身固定金具２７の基礎部２７ａには、その両端部から垂直上向きに互いに長さ寸法の異なる支持部２７ｂ１，２７ｂ２が延出している。
【００２９】
前記支持部２７ｂ１，２７ｂ２には、その長手方向（垂直方向）に縦長形状の貫通孔３２ａ，３２ｂが開口しており、当該貫通孔３２ａ，３２ｂが前記ナット３１ａ，３１ｂの固定位置と合致するように、変圧器中身２１をケース２２内に配置する。
【００３０】
変圧器中身２１をケース２２内に収納したら、前記支持部２７ｂ１，２７ｂ２の貫通孔３２ａ，３２ｂを通過して螺合部材であるボルト３３ａ，３３ｂを被螺合部材であるナット３１ａ，３１ｂにねじ止めすることにより、中身固定金具２７をボルト３３ａ，３３ｂの頭部とナット３１ａ，３１ｂ間に揺動不能に固定する。
【００３１】
このとき、前記貫通孔３２ａ，３２ｂは、支持部２７ｂ１，２７ｂ２の長手方向に縦長形状に形成されているので、例えば、変圧器Ａの仕様の違いによって変圧器中身２１の高さが異なる場合でも、前記貫通孔３２ａ，３２ｂに対するボルト３３ａ，３３ｂおよびナット３１ａ，３１ｂの位置を相対的に変更することによってケース２２に対するナット３１ａ，３１ｂの固定位置を変更することなく、中身固定金具２７を介して変圧器中身２１をケース２２内に固定することができる。
【００３２】
このようにして変圧器中身２１をケース２２内に固定したら、絶縁油３４を当該ケース２２内に充填し、最後に蓋体３０によりケース２２の上部開口部を閉塞することによって、変圧器Ａを完成させる（図１参照）。
【００３３】
そして、前記変圧器Ａは、運搬作業時において、例えば、前記ケース２２に取り付けられる図示しない吊り上げ金具にクレーンの玉掛用具等を引っ掛けることにより、上方へ吊り上げて運搬されるが、このとき、前記変圧器Ａには必然的に揺れが生じる。
【００３４】
前記変圧器Ａが揺れることによって、変圧器中身２１はケース２２内で絶縁油３４中を揺動しようとするが、本発明の変圧器Ａにおいては、変圧器中身２１のケース２２への固定位置が図１に示す左右側で高さが異なるので、変圧器中身２１が揺動する支点との間の揺動半径が前記左右側で相違し、この結果、前記変圧器中身２１の揺動を効果的に抑制することが可能となる。
【００３５】
つまり、変圧器中身２１が、図２に示す矢印方向へ揺動することを極力抑制することができ、変圧器中身２１がケース２２の内壁に衝突して損傷等するといった問題の発生を確実に防止することができる。
【００３６】
換言すれば、前記中身固定金具２７は、互いに長さ寸法の異なる支持部２７ｂ１，２７ｂ２を有し、該支持部２７ｂ１，２７ｂ２に形成した縦長形状の貫通孔３２ａ，３２ｂを利用して、互いに異なる高さ位置に固定したナット３１ａ，３１ｂに当該中身固定金具２７を介してボルト３３ａ，３３ｂを螺合する構成であるので、該中身固定金具２７に固定される変圧器中身２１は、ケース２２に対する支点が図１に示す左右両側で非対称となり、結果、各支点に対する揺動半径を前記左右両側で相違させることができ、これにより、図２に示す矢印方向への揺れを効果的に抑制することが可能となる。
【００３７】
一方、前記変圧器中身２１による矢印方向（図２参照）と垂直な方向への揺動については、変圧器中身２１をケース２２内に固定する中身固定金具２７の形状が略コ字形であることから十分に抑制することができるので、変圧器Ａの輸送時においてケース２２内に収容した変圧器中身２１が前記矢印と垂直方向に揺動することによって、ケース２２の内壁に衝突して損傷等することはない。
【００３８】
以上説明したように、本発明の変圧器Ａは、ケース２２内の対向する側面の異なる高さ位置に、中身固定金具２７の支持部２７ｂ１，２７ｂ２を固定することによって、ケース２２内に収容される変圧器中身２１がケース２２内で揺動することを良好に阻止することができ、結果、例えば、輸送時の振動によって、変圧器中身２１がケース２２で揺動して当該ケース２２と衝接することにより損傷等する問題の発生を未然に回避することが可能となる。
【産業上の利用可能性】
【００３９】
ケース内における変圧器中身の固定構造であって、変圧器中身に固定した中身固定金具の両端部とケース内壁との固定位置の高さ位置を両端部間で互いに相違させることによって、前記変圧器中身がケース内で揺動することを阻止し、前記変圧器中身がケース内壁と衝接して損傷等する問題の発生を確実に解消することができる。
【図面の簡単な説明】
【００４０】
【図１】本発明の変圧器を示す正面図である。
【図２】本発明の変圧器を示す上面図である。
【図３】従来の変圧器を示す正面図である。
【図４】従来の変圧器に用いられていた吊り上げ金具の取り付け構造を示す断面図である。
【図５】（ａ）は従来の中身振れ止め構造を示す正面図であり、（ｂ）は従来の他の中身振れ止め構造を示す正面図である。
【符号の説明】
【００４１】
１，２２  ケース
２  変圧器本体
４  上部継鉄締め付け金具
５，７  ボルト
６，２７  中身固定金具
８  吊り上げ金具
８ａ  小径部
８ｂ  鍔部
８ｃ  ねじ孔
１１，２２ａ  ケース底板
１２，１４，２６ｂ  下部クランプ
１３  振れ止め座
１５  凸部
１６  凹部
２１  変圧器中身
２３  巻線
２４  鉄心
２５  バンド部材
２６ａ  上部クランプ
２６ｂ  プレスボード
２７ａ  基礎部
２７ｂ１，２７ｂ２  支持部
２８，２９  開口部
３０  蓋体
３１ａ，３１ｂ  ナット
３２ａ，３２ｂ  貫通孔
３３ａ，３３ｂ  ボルト
３４  絶縁油
Ａ  変圧器
【図１】
2006339176.tif 000003
【図２】
2006339176.tif 000004
【図３】
2006339176.tif 000005
【図４】
2006339176.tif 000006
【図５】
2006339176.tif 000007